(57)【要約】【課題】  接続されたプラグ及びプラグから引き出されたコードが互いに干渉しないコンセントを提供する。【解決手段】  ３個モジュール寸法に形成され、１００Ｖ用の３個１組の栓刃挿入口３１ａ〜３１ｃからなる１００Ｖ用プラグ接続部３１と２００Ｖ用の３個１組の栓刃挿入口３２ａ〜３２ｃからなる２００Ｖ用プラグ接続部３２とが１００Ｖ用プラグ接続部３１を長手方向に並べて前面に設けられたハウジング１を備える。各プラグ接続部３１，３２において、接地栓刃挿入口３１ｃ，３２ｃを、他の栓刃挿入口３１ａ，３１ｂ，３２ａ，３２ｂを挟んでハウジング１の長手方向の反対側に配置した。栓刃の突出方向に対して直交する方向であって接地極の栓刃が他の栓刃に対して並ぶ方向にコードが引き出されたプラグを各プラグ接続部３１，３２にそれぞれ接続した場合でも、プラグやコードが互いに干渉しない。【選択図】図１
2006278055.tif 000002
【特許請求の範囲】
【請求項１】
既成の取付枠に３個まで取付可能な配線器具の３個分の寸法に形成されたハウジングを備え、
ハウジングの前面には、それぞれ接地極の栓刃が挿入される１個の接地栓刃挿入口を含む３個１組の栓刃挿入口が２組、長手方向に並べて設けられ、
２個の接地栓刃挿入口が、ハウジングの長手方向において他の栓刃挿入口を挟み互いに反対側に配置されていることを特徴とするコンセント。
【請求項２】
接地線が接続される接地線接続端子を、ハウジングの前面において２組の栓刃挿入口に挟まれる位置に備えることを特徴とする請求項１記載のコンセント。
【請求項３】
栓刃挿入口の一方の組は、低電圧用プラグの電圧側極，中性極，接地極の各栓刃がそれぞれ挿入される電圧側栓刃挿入口，中性栓刃挿入口，接地栓刃挿入口からなる低電圧用プラグ接続部を構成し、栓刃挿入口の他方の組は、高電圧用プラグの電圧側極の各栓刃がそれぞれ挿入される第１及び第２の電圧側栓刃挿入口及び接地極の栓刃が挿入される接地栓刃挿入口からなる高電圧用プラグ接続部を構成し、
ハウジングの後面には、単相３線の電圧側の電線がそれぞれ挿入される第１及び第２の電圧側電線挿入口と、単相３線の中性側の電線が挿入される中性線挿入口と、接地される電線が挿入される接地線挿入口とがそれぞれ設けられ、
導電材料からなり低電圧用プラグ接続部の電圧側栓刃挿入口から挿入された栓刃に接触導通する第１の刃受部と高電圧用プラグ接続部の一方の電圧側栓刃挿入口から挿入された栓刃に接触導通する第２の刃受部とを有し第１の電圧側電線挿入口から挿入された電線に電気的に接続される第１の電圧側導電ブロックと、
導電材料からなり高電圧用プラグ接続部の他方の電圧側栓刃挿入口から挿入された栓刃に接触導通する刃受部を有し第２の電圧側電線挿入口から挿入された電線に電気的に接続される第２の電圧側導電ブロックと、
導電材料からなり低電圧用プラグ接続部の中性栓刃挿入口から挿入された栓刃に接触導通する刃受部を有し中性線挿入口から挿入された電線に電気的に接続される中性導電ブロックと、
導電材料からなり低電圧用プラグ接続部の接地栓刃挿入口から挿入された栓刃に接触導通する第１の刃受部と高電圧用プラグ接続部の接地栓刃挿入口から挿入された栓刃に接触導通する第２の刃受部とを有し接地線挿入口から挿入された電線に電気的に接続される接地導電ブロックとをそれぞれハウジング内に備えることを特徴とする請求項１記載のコンセント。
【請求項４】
ハウジング内において第１の電圧側電線挿入口に臨む位置と、第２の電圧側電線挿入口に臨む位置と、中性線挿入口に臨む位置と、接地線挿入口に臨む位置とには、それぞれ、導電材料からなりハウジング内に挿入された電線に接触導通する端子板と、前記電線を端子板との間に鎖錠する鎖錠ばねと、鎖錠ばねの鎖錠を解除する解除釦とからなる端子部が設けられ、
第１の電圧側電線挿入口に臨む位置に設けられた端子部の端子板は第１の電圧側導電ブロックに連結され、第２の電圧側電線挿入口に臨む位置に設けられた端子部の端子板は第２の電圧側導電ブロックに連結され、中性線挿入口に臨む位置に設けられた端子部の端子板は中性導電ブロックに連結され、接地線挿入口に臨む位置に設けられた端子部の端子板は接地導電ブロックに連結され、
第２の電圧側電線挿入口に臨む端子部と中性線挿入口に臨む端子部とが、各鎖錠ばねの向きを揃えて互いに近接して配置されるとともに、第２の電圧側電線挿入口に臨む端子部の解除釦には中性線挿入口に臨む端子部の鎖錠ばねの鎖錠を解除する部位が設けられることにより、第２の電圧側電線挿入口に臨む端子部と中性線挿入口に臨む端子部とで解除釦が共用とされていることを特徴とする請求項３記載のコンセント。
【発明の詳細な説明】
【技術分野】
【０００１】
本発明は、２組の栓刃挿入口を備えたコンセントに関するものである。
【背景技術】
【０００２】
従来から、それぞれ接地極の栓刃が挿入される接地栓刃挿入口を含む３個１組の栓刃挿入口を２組備えたコンセントが提供されている（例えば、特許文献１参照）。
【０００３】
この種のコンセントとして、例えば図９に示すものがある。このコンセントは、３個モジュール寸法に形成され、１００Ｖ用の１００Ｖ用プラグ接続部３１と２００Ｖ用の２００Ｖ用プラグ接続部３２とが前面に長手方向に並べて設けられたハウジング１を備える。ハウジング１は、長手方向を上下に向け１００Ｖ用プラグ接続部３１を上側とし、既成の取付枠４を用いて壁面等の施行面に埋込配設される。以下、上下左右は図９を基準として説明する。
【０００４】
１００Ｖ用プラグ接続部３１は、電圧側極の栓刃が挿入される電圧側栓刃挿入口３１ａと、中性極（接地側極）の栓刃が挿入される中性栓刃挿入口３１ｂと、接地極の栓刃が挿入される接地栓刃挿入口３１ｃとからなる。電圧側栓刃挿入口３１ａと中性栓刃挿入口３１ｂとは左右に並べて設けられ、接地栓刃挿入口３１ｃは電圧側栓刃挿入口３１ａと中性栓刃挿入口３１ｂとの下側に設けられている。
【０００５】
また、２００Ｖ用プラグ接続部３２は、電圧側極の栓刃がそれぞれ挿入される第１の電圧側栓刃挿入口３２ａ及び第２の電圧側栓刃挿入口３２ｂと、接地極の栓刃が挿入される接地栓刃挿入口３２ｃとからなる。第１及び第２の電圧側栓刃挿入口３２ａ，３２ｂは左右に並べて設けられ、接地栓刃挿入口３２ｃは第１及び第２の電圧側栓刃挿入口３２ａ，３２ｂの下側に設けられている。
【特許文献１】特開平９−９７６５９号公報
【発明の開示】
【発明が解決しようとする課題】
【０００６】
ところで、１００Ｖ用プラグ接続部３１や２００Ｖ用プラグ接続部３２に接続されるプラグにおいては、図１０（ａ）の１００Ｖ用プラグＰ１や、図１０（ｂ）の２００Ｖ用プラグＰ２のように、栓刃Ｐ１ａ〜Ｐ１ｃ，Ｐ２ａ〜Ｐ２ｃが設けられたプラグ本体Ｐ１ｄ，Ｐ２ｄから、栓刃Ｐ１ａ〜Ｐ１ｃ，Ｐ２ａ〜Ｐ２ｃの突出方向に対して直交する方向であって接地極の栓刃Ｐ１ｃ，Ｐ２ｃが他の栓刃Ｐ１ａ，Ｐ１ｂ，Ｐ２ａ，Ｐ２ｂに対して並ぶ方向（図１０（ａ）（ｂ）の下方）にコードＰ１ｅ，Ｐ２ｅが引き出されているものがある。
【０００７】
上記のプラグＰ１，Ｐ２をそれぞれ上記従来のコンセントに接続する場合、図１１に示すように１００Ｖ用プラグＰ１を先に接続すると２００Ｖ用プラグＰ２を接続する際に１００Ｖ用プラグＰ１のコードＰ１ｅが邪魔になり、２００Ｖ用プラグＰ２を先に接続すると１００Ｖ用プラグＰ１を接続する際に２００Ｖ用プラグＰ２が邪魔になるという問題があった。
【０００８】
本発明は上記事由に鑑みて為されたものであり、その目的は、接続されたプラグ及びプラグから引き出されたコードが互いに干渉しないコンセントを提供することにある。
【課題を解決するための手段】
【０００９】
請求項１の発明は、既成の取付枠に３個まで取付可能な配線器具の３個分の寸法に形成されたハウジングを備え、ハウジングの前面には、それぞれ接地極の栓刃が挿入される１個の接地栓刃挿入口を含む３個１組の栓刃挿入口が２組、長手方向に並べて設けられ、２個の接地栓刃挿入口が、ハウジングの長手方向において他の栓刃挿入口を挟み互いに反対側に配置されていることを特徴とする。
【００１０】
この発明によれば、栓刃の突出方向に対して直交する方向であって接地極の栓刃が他の栓刃に対して並ぶ方向にコードが引き出されたプラグを各栓刃挿入口にそれぞれ接続しても、栓刃挿入口に接続された各プラグにおいてそれぞれコードは他方のプラグから離れる方向に引き出される形になるから、接続されたプラグ及びプラグから引き出されたコードが互いに干渉しない。
【００１１】
請求項２の発明は、請求項１の発明において、接地線が接続される接地線接続端子を、ハウジングの前面において２組の栓刃挿入口に挟まれる位置に備えることを特徴とする。
【００１２】
この発明によれば、接地線を有するプラグを、２組の栓刃挿入口のいずれにも接続することができる。
【００１３】
請求項３の発明は、請求項１の発明において、栓刃挿入口の一方の組は、低電圧用プラグの電圧側極，中性極，接地極の各栓刃がそれぞれ挿入される電圧側栓刃挿入口，中性栓刃挿入口，接地栓刃挿入口からなる低電圧用プラグ接続部を構成し、栓刃挿入口の他方の組は、高電圧用プラグの電圧側極の各栓刃がそれぞれ挿入される第１及び第２の電圧側栓刃挿入口及び接地極の栓刃が挿入される接地栓刃挿入口からなる高電圧用プラグ接続部を構成し、ハウジングの後面には、単相３線の電圧側の電線がそれぞれ挿入される第１及び第２の電圧側電線挿入口と、単相３線の中性側の電線が挿入される中性線挿入口と、接地される電線が挿入される接地線挿入口とがそれぞれ設けられ、導電材料からなり低電圧用プラグ接続部の電圧側栓刃挿入口から挿入された栓刃に接触導通する第１の刃受部と高電圧用プラグ接続部の一方の電圧側栓刃挿入口から挿入された栓刃に接触導通する第２の刃受部とを有し第１の電圧側電線挿入口から挿入された電線に電気的に接続される第１の電圧側導電ブロックと、導電材料からなり高電圧用プラグ接続部の他方の電圧側栓刃挿入口から挿入された栓刃に接触導通する刃受部を有し第２の電圧側電線挿入口から挿入された電線に電気的に接続される第２の電圧側導電ブロックと、導電材料からなり低電圧用プラグ接続部の中性栓刃挿入口から挿入された栓刃に接触導通する刃受部を有し中性線挿入口から挿入された電線に電気的に接続される中性導電ブロックと、導電材料からなり低電圧用プラグ接続部の接地栓刃挿入口から挿入された栓刃に接触導通する第１の刃受部と高電圧用プラグ接続部の接地栓刃挿入口から挿入された栓刃に接触導通する第２の刃受部とを有し接地線挿入口から挿入された電線に電気的に接続される接地導電ブロックとをそれぞれハウジング内に備えることを特徴とする。
【００１４】
この発明によれば、低電圧用プラグの電圧側極の栓刃と高電圧用プラグの一方の電圧側極の栓刃とで電圧側電線挿入口及び導電ブロックを共用としているので、低電圧用プラグの電圧側極の栓刃と高電圧用プラグの一方の電圧側極の栓刃とに対して電圧側電線挿入口及び導電ブロックを別途設ける場合に比べ、部品点数が減少して製造コストが低減する上に、ハウジング後側の配線を単純化することができる。
【００１５】
請求項４の発明は、請求項３の発明において、ハウジング内において第１の電圧側電線挿入口に臨む位置と、第２の電圧側電線挿入口に臨む位置と、中性線挿入口に臨む位置と、接地線挿入口に臨む位置とには、それぞれ、導電材料からなりハウジング内に挿入された電線に接触導通する端子板と、前記電線を端子板との間に鎖錠する鎖錠ばねと、鎖錠ばねの鎖錠を解除する解除釦とからなる端子部が設けられ、第１の電圧側電線挿入口に臨む位置に設けられた端子部の端子板は第１の電圧側導電ブロックに連結され、第２の電圧側電線挿入口に臨む位置に設けられた端子部の端子板は第２の電圧側導電ブロックに連結され、中性線挿入口に臨む位置に設けられた端子部の端子板は中性導電ブロックに連結され、接地線挿入口に臨む位置に設けられた端子部の端子板は接地導電ブロックに連結され、第２の電圧側電線挿入口に臨む端子部と中性線挿入口に臨む端子部とが、各鎖錠ばねの向きを揃えて互いに近接して配置されるとともに、第２の電圧側電線挿入口に臨む端子部の解除釦には中性線挿入口に臨む端子部の鎖錠ばねの鎖錠を解除する部位が設けられることにより、第２の電圧側電線挿入口に臨む端子部と中性線挿入口に臨む端子部とで解除釦が共用とされていることを特徴とする。
【００１６】
この発明によれば、第２の電圧側電線挿入口に臨む端子部と中性線挿入口に臨む端子部とで解除釦を共用としたことにより、第２の電圧側電線挿入口に臨む端子部と中性線挿入口に臨む端子部とに対して各別に解除釦を設ける場合に比べ、ハウジング内で解除釦が占めるスペースが縮小されているから、ハウジングを３個モジュール寸法とする設計が容易となる。また、第２の電圧側電線挿入口に臨む端子部と中性線挿入口に臨む端子部との各鎖錠ばねの鎖錠を、１個の解除釦によって同時に解除することができるから、解除作業が容易となる。
【発明の効果】
【００１７】
本発明によれば、２個の接地栓刃挿入口が、ハウジングの長手方向において他の栓刃挿入口を挟み互いに反対側に配置されているので、栓刃の突出方向に対して直交する方向であって接地極の栓刃が他の栓刃に対して並ぶ方向にコードが引き出されたプラグを各栓刃挿入口にそれぞれ接続しても、栓刃挿入口に接続された各プラグにおいてそれぞれコードは他方のプラグから離れる方向に引き出される形になるから、接続されたプラグ及びプラグから引き出されたコードが互いに干渉しない。
【発明を実施するための最良の形態】
【００１８】
以下、本発明を実施するための最良の形態について、図面を参照しながら説明する。
【００１９】
本実施形態は、図１（ａ）及び図２に示すように、３個モジュール寸法に形成され、低電圧用プラグとしての１００Ｖ用のプラグＰ１が接続される３個１組の栓刃挿入口３１ａ〜３１ｃからなる低電圧用プラグ接続部としての１００Ｖ用プラグ接続部３１と、高電圧用プラグとしての２００Ｖ用のプラグＰ２が接続される３個１組の栓刃挿入口３２ａ〜３２ｃからなる高電圧用プラグ接続部としての２００Ｖ用プラグ接続部３２とが長手方向に並べて前面に設けられたハウジング１を備える。ハウジング１は、長手方向を上下に向け１００Ｖ用プラグ接続部３１を上側として配設される。以下、上下左右は図１（ａ）を基準として説明する。
【００２０】
ハウジング１は、図１（ｂ）（ｄ）及び図２に示すように、後述する第１の電圧側導電ブロック６等の導電部が収納される収納凹部２１が前面に設けられたボディ２と、１００Ｖ用プラグ接続部３１と２００Ｖ用プラグ接続部３２とが設けられ収納凹部２１を閉塞するカバー３とからなる。ボディ２とカバー３とはそれぞれ例えば合成樹脂成形品からなり、施工面（図示せず）への取り付けのための取付枠を兼ねた組立枠４によって結合されている。
【００２１】
組立枠４は、ＪＩＳ  Ｃ  ８３７５に規定された取付枠に準じた寸法及び形状に形成され、３個モジュール寸法に形成された露出穴４１を有する。露出穴４１の左右には、それぞれ係合穴４２ａが左右に貫設されてＵ字形状に形成された結合片４２が、上下に並べて２個ずつ後方へ突設されている。また、係合穴４２ａの内周の前端には、当接突起４３が後方へ突設されている。ボディ２及びカバー３の左右の側面には、それぞれ結合突起２２，３３が上下に並べて２個ずつ突設されていて、カバー３の結合突起３３の前面には凹部３３ａが設けられている。そして、各結合突起２２，３３が組立枠４の係合穴４２ａに挿入され、組立枠４の当接突起４３がカバー３の結合突起３３の凹部３３ａに挿入されるとともにボディ２の結合突起２２の後面が組立枠４の結合片４２に係止されることによって、カバー３の前面が露出穴４１から露出する形でボディ２とカバー３とは結合している。
【００２２】
また、先に述べたように組立枠４は取付枠を兼ねており、組立枠４の上下両端部には、埋込ボックス（図示せず）へのねじ止めのためのねじが挿通されるボックス穴４ａと、周知の挟み金具（図示せず）を取り付けるための挟み穴４ｂと、前面にプレート枠（図示せず）を取り付けるためのプレート穴４ｃと、壁面に直接ねじ止めする際にねじが挿通される直付け穴４ｄとがそれぞれ前後に貫設されている。
【００２３】
さらに、ハウジング１には、取付枠４の一部の前側を覆って見栄えを向上するための化粧カバー５が取り付けられる。化粧カバー５は、カバー３の前面と略同じ寸法形状に形成されカバー３の前面を露出させる露出穴５１を有する。露出穴５１の上下には、それぞれ２個の結合片５２が左右に並べて後方へ突設されている。各結合片５２のそれぞれ後端には、上下のうち露出穴５１に臨む側に突出した係合爪５３が設けられている。カバー３の上下の面にはそれぞれ２個の係合凹部３４を左右に並べて設けてあり、係合爪５３がそれぞれ係合凹部３４に係合することにより、化粧カバー５はカバー３に対して結合する。また、化粧カバー５の左右両端部には、それぞれ上下に並んだ各４個の当接突起５４を後方へ突設してある。取付枠４の露出穴４１の左右にはそれぞれ前方へ突出して左右に対向し前端が外側へ曲がって断面が逆Ｌ字形状に形成された台座突起４４が設けられ、露出穴４１の上下にはそれぞれ支持突起４５が前方へ突設されていて、化粧カバー５の当接突起５４が取付枠４の台座突起４４の前面に当接するとともに、取付枠４の支持突起４５が化粧カバー５の後面に当接することにより、取付枠４に対する化粧カバー５の姿勢が安定するようになっている。また、図１（ｂ）（ｄ）に示すように、化粧カバー５を取り付けた状態でカバー３の前面と化粧カバー５の前面とが略面一になるように、結合突起２２，３３の位置や当接突起５４の突出寸法等は設定されている。
【００２４】
１００Ｖ用プラグ接続部３１は、電圧側極の栓刃が挿入される電圧側栓刃挿入口３１ａと、中性極（接地側極）の栓刃が挿入される中性栓刃挿入口３１ｂと、接地極の栓刃が挿入される接地栓刃挿入口３１ｃとからなる。また、２００Ｖ用プラグ接続部３２は、電圧側極の栓刃がそれぞれ挿入される第１の電圧側栓刃挿入口３２ａ及び第２の電圧側栓刃挿入口３２ｂと、接地極の栓刃が挿入される接地栓刃挿入口３２ｃとからなる。１００Ｖ用プラグ接続部３１及び２００Ｖ用プラグ接続部３２はそれぞれＪＩＳ  Ｃ  ８３０３に規定された定格１２５Ｖ，１５Ａ／２０Ａ兼用の接地極付きプラグ及び定格２５０Ｖ，２０Ａの接地極付のプラグに対応した形状となっている。
【００２５】
また、本実施形態は単相３線式の屋内配線を利用するものであって、図１（ｃ）に示すように、ハウジング１の後面の右端部（図１（ｃ）での左端部）であって上下方向の中央部には、単相３線の電圧側の一方の電線Ｃ１が挿入される第１の電圧側電線挿入口２４ａが設けられている。さらに、ハウジング１の後面の左端部（図１（ｃ）での右端部）であって上下方向の中央部には、単相３線の電圧側の他方の電線Ｃ２が挿入される第２の電圧側電線挿入口２４ｂと、単相３線の中性側の電線（中性線）Ｃ３が挿入される中性線挿入口２４ｃとが、中性線挿入口２４ｃを上側として上下に並べて設けられている。また、ハウジング１の後面の下端部には、接地される電線（接地線、図示せず）が挿入される２個の接地線挿入口２４ｄが左右に並べて設けられている。この構成により、第１及び第２の電圧側電線挿入口２４ａ，２４ｂと、中性線挿入口２４ｃと、接地線挿入口２４ｄとをハウジング１の１箇所に集中して配置する場合に比べ、接地線挿入口２４ｄに電線を挿入しやすくなっている。また、ハウジング１の後面には、上記挿入口２４ａ〜２４ｄから挿入される電線の被覆を剥く際に露出させる心線の長さの目安となる溝２５（いわゆるストリップゲージ）を設けてある。すなわち、この溝２５の長さに合わせて電線の被覆を剥けば適切な長さの心線を露出させることができるのである。
【００２６】
次に、ハウジング１内部の構成について説明する。図１（ｅ）及び図２に示すように、ボディ２の収納凹部には、単相３線の一方の電圧側電線に電気的に接続される第１の電圧側導電ブロック６と、単相３線の他方の電圧側電線に電気的に接続される第２の電圧側導電ブロック９と、単相３線の中性線に電気的に接続される中性導電ブロック８と、接地電位となる接地導電ブロック７とが収納されている。
【００２７】
上記各導電ブロック６〜９は、それぞれ例えば金属板に曲げ加工を施すことによって形成され、導電ブロック６〜９間は、ボディ２の収納凹部２１の底面から突設された隔壁２３により互いに電気的に絶縁されている。
【００２８】
第１の電圧側導電ブロック６は、１００Ｖ用プラグ接続部３１の電圧側栓刃挿入口３１ａから挿入された栓刃に接触導通する第１の刃受け部６１ａと２００Ｖ用プラグ接続部３２の第１の電圧側栓刃挿入口３２ａから挿入された栓刃に接触導通する第２の刃受け部６１ｂとを有する。
【００２９】
接地導電ブロック７は、１００Ｖ用プラグ接続部３１の接地栓刃挿入口３１ｃから挿入された栓刃に接触導通する第１の刃受け部７１ａと、２００Ｖ用プラグ接続部３２の接地栓刃挿入口３２ｃから挿入された栓刃に接触導通する第２の刃受け部７１ｂとを有する。
【００３０】
中性導電ブロック８は、１００Ｖ用プラグ接続部３１の中性栓刃挿入口３１ｂから挿入された栓刃に接触導通する刃受け部８１を有する。
【００３１】
第２の電圧側導電ブロック９は、２００Ｖ用プラグ接続部３２の第２の電圧側栓刃挿入口３２ｂから挿入された栓刃に接触導通する刃受け部９１を有する。
【００３２】
各刃受け部６１ａ，６１ｂ，７１ａ，７１ｂ，８１，９１は、それぞれ逆Ω形状に形成されてばね性を有し、栓刃を上下又は左右から挟持する。ここで、中性導電ブロック８の刃受け部８１は、電圧側極の栓刃と中性極の栓刃との配置が横向きＴ字形状である１２５Ｖ２０Ａのプラグ（図示せず）の中性極に対応し、幅方向が左右方向である栓刃を上下から挟持するようになっているが、中性導電ブロック８は、幅方向が上下方向である栓刃を左側から刃受け部８１に押し付けるばね片８１ａを備え、電圧側極の栓刃Ｐ１ａと中性極の栓刃Ｐ１ｂとが平行である１２５Ｖ１５ＡのプラグＰ１にも対応できるようになっている。
【００３３】
また、第１及び第２の電圧側導電ブロック６，９、接地導電ブロック７、及び中性導電ブロック８には、それぞれ第１及び第２の電圧側電線挿入口２４ａ，２４ｂ、接地線挿入口２４ｄ、及び中性線挿入口２４ｂから挿入された電線に接触導通する端子板６２，９２，７２，８２と、端子板６２，９２，７２，８２に対向する支持板６３，９３，７３，８３とがそれぞれ設けられている。ここで、接地導電ブロック７には、２個の接地線挿入口２４ｄに対応して、前後に対向する端子板７２と支持板７３とが第２の刃受け部７１ｂの左右両側にそれぞれ設けられている。したがって、２個の接地線挿入口２４ｄから挿入された各電線は接地導電ブロック７を介して互いに電気的に接続されるから、２個の接地線挿入口２４ｄの一方を送り配線に用いることができる。
【００３４】
端子板６２，７２，８２，９２と支持板６３，７３，８３，９３との間には、それぞれ電線を端子板６２，７２，８２，９２との間に鎖錠する鎖錠ばね１０が配置されている。鎖錠ばね１０は、金属板が曲げ形成されてなり、支持板６３，７３，８３，９３に当接する基部１０ａと、基部１０ａの前端から端子板６２，７２，８２，９２側へ弾性的に突出し基部１０ａとともにＳ字形状をなす形状に形成され電線を端子板６２，７２，８２，９２に押し付ける押さえ部１０ｂと、基部１０ａの後端から端子板６２，７２，８２，９２側へ弾性的に突出して先端に近い部位ほど前方に位置するように傾斜し電線を端子板６２，７２，８２，９２との間に鎖錠する鎖錠部１０ｃとを有する。すなわち、ハウジング１の後方から挿入された電線は、鎖錠ばね１０の押さえ部１０ｂ及び鎖錠部１０ｃと端子板６２，７２，８２，９２との間に挟持され、鎖錠ばね１０の鎖錠部１０ｃの先端が食い込むことによって抜け止めされる。
【００３５】
また、各鎖錠ばね１０の後側には、それぞれ解除釦１１〜１３が配置されている。ハウジング１の後面において各解除釦１１〜１３の後側にはそれぞれ解除釦１１〜１３を露出させる操作穴２６ａ〜２６ｃが貫設されている。そして、操作穴２６ａ〜２６ｃから例えばドライバのような治具を挿入して解除釦１１〜１３を押し込むと、鎖錠ばね１０の鎖錠部１０ｃが解除釦１１〜１３に押圧されて電線から離れ、鎖錠が解除されるようになっている。すなわち、端子板６２，７２，８２，９２と鎖錠ばね１０と解除釦１１〜１３とはいわゆる速結端子構造を有する端子部を構成している。ここで、それぞれ接地導電ブロック７の端子板７２と支持板７３との間に配置され接地線挿入口２６ｄに臨む各鎖錠ばね１０は、共通の解除釦１２の左端部と右端部とに押圧されて同時に変形するようになっている。また、中性導電ブロック８と第２の電圧側導電ブロック９とは、端子板７２，８２同士並びに支持板７３，８３同士を互いに近接させて配置してあり、これらの端子板７２，８２と支持板７３，８３との間に配置された各鎖錠ばね１０は向きが揃っている。そして、中性導電ブロック８の端子板８２と支持板８３との間に配置され中性線挿入口２４ｃに臨む鎖錠ばね１０と、第２の電圧側導電ブロック９の端子板９２と支持板９３との間に配置され第２の電圧側電線挿入口２４ｂに臨む鎖錠ばね１０とは、共通の解除釦１３の上端部と下端部とに押圧されて同時に変形するようになっている。
【００３６】
ところで、図３に示すように中性線挿入口２４ｃに臨む端子部に対して第２の電圧側電線挿入口２４ｂに臨む端子部とは別途に解除釦１４を設けることもできるが、本実施形態では、第２の電圧側電線挿入口２４ｂに臨む端子部と中性線挿入口２４ｃに臨む端子部とで解除釦１３を共用としたことにより、ハウジング１内で解除釦１１〜１４が占めるスペースが縮小されているから、接地線の送り配線用の端子部を設けながらも、ハウジング１を３個モジュール寸法とする設計が容易となっている。また、第２の電圧側電線挿入口２４ｂに臨む端子部と中性線挿入口２４ｃに臨む端子部との各鎖錠ばね１０の鎖錠を、１個の解除釦１３によって同時に解除することができるから、解除作業が容易となっている。
【００３７】
また、図４に示すように、第１及び第２の電圧側電線挿入口２４ａ，２４ｂと、中性線挿入口２４ｃとをそれぞれ２００Ｖ用プラグ接続部３２専用とし、１００Ｖ用プラグ接続部３１には別途に電圧側電線挿入口２４ｅと接地側電線挿入口２４ｆとを設けることもできる。図４の例では、第１及び第２の電圧側電線挿入口２４ａ，２４ｂへの電線の接続をそれぞれ解除釦１５，１６によって中性線挿入口２４ｃへの電線の接続とともに解除することができ、電圧側電線挿入口２４ｅへの電線の接続と接地側電線挿入口２４ｆへの電線の接続とを解除釦１７によって同時に解除できるようになっている。しかし、本実施形態のように１００Ｖ用プラグ接続部３１と２００Ｖ用プラグ接続部３２とで第１及び第２の電圧側電線挿入口２４ａ，２４ｂと、中性線挿入口２４ｃとを共用とした方が、ハウジング１内の導電ブロックや端子部の個数を減少させて製造コストを低減することができる上に、ハウジング１の後側の配線が単純化されるから望ましい。
【００３８】
ここで、１００Ｖ用プラグ接続部３１において、電圧側栓刃挿入口３１ａと中性栓刃挿入口３１ｂとは左右に並べて設けられ、接地栓刃挿入口３１ｃは電圧側栓刃挿入口３１ａと中性栓刃挿入口３１ｂとの上側に設けられている。また、２００Ｖ用プラグ接続部３２において、第１及び第２の電圧側栓刃挿入口３２ａ，３２ｂは左右に並べて設けられ、接地栓刃挿入口３２ｃは第１及び第２の電圧側栓刃挿入口３２ａ，３２ｂの下側に設けられている。つまり、各接地栓刃挿入口３１ｃ，３２ｃは、他の栓刃挿入口３１ａ，３１ｂ，３２ａ，３２ｂを挟んでハウジング１の長手方向の反対側に配置されている。
【００３９】
上記構成によれば、図５に示すように、１００Ｖ用プラグＰ１から引き出されたコードＰ１ｅは上方へ延び、２００Ｖ用プラグＰ１から引き出されたコードＰ２ｅは下方へ延びるから、プラグＰ１，Ｐ２やコードＰ１ｅ，Ｐ２ｅが互いに干渉しない。
【００４０】
なお、図６に示すような接地線Ｐ１ｆ、Ｐ２ｆ（図８参照）を有するプラグＰ１，Ｐ２が接続できるように、図７及び図８に示すように、ハウジング１の前面において１００Ｖ用プラグ接続部３１と２００Ｖ用プラグ接続部３２とに挟まれた位置に、例えば接地線Ｐ１ｆの先端の端子Ｐ１ｇを挟むねじ端子からなり接地線Ｐ１ｆが接続される接地線接続端子３５を設けてもよい。接地線接続端子３５は、ハウジング１内において接地導電ブロック７に電気的に接続される。この構成を採用すれば、接地線Ｐ１ｆ，Ｐ２ｆを有するプラグＰ１，Ｐ２を１００Ｖ用プラグ接続部３１と２００Ｖ用プラグ接続部３２とのいずれにも接続可能となる。
【図面の簡単な説明】
【００４１】
【図１】本発明の実施形態を示す図であり、（ａ）は正面図、（ｂ）は右側面図、（ｃ）は背面図、（ｄ）は下面図、（ｅ）は取付枠と化粧カバーとカバーとを取り外した状態を示す正面図である。
【図２】同上を示す分解斜視図である。
【図３】同上の別の形態を示す背面図である。
【図４】同上の更に別の形態を示す背面図である。
【図５】同上の効果を示す斜視図である。
【図６】接地線を有するプラグの例を示す斜視図である。
【図７】本発明の実施形態の別の形態を示す図であり、（ａ）は正面図、（ｂ）は右側面図、（ｃ）は下面図である。
【図８】同上において１００Ｖ用プラグ接続部と２００Ｖ用プラグ接続部とにそれぞれ接地線付きのプラグを接続した状態を示す斜視図である。
【図９】従来例を示す正面図である。
【図１０】プラグの一例を示す斜視図であり、（ａ）は１００Ｖ用のプラグを示し、（ｂ）は２００Ｖ用のプラグを示す。
【図１１】従来例において１００Ｖ用プラグ接続部にプラグを接続した状態を示す斜視図である。
【符号の説明】
【００４２】
１  ハウジング
３１  １００Ｖ用プラグ接続部
３１ａ  電圧側栓刃挿入口
３１ｂ  中性栓刃挿入口
３１ｃ  接地栓刃挿入口
３２  ２００Ｖ用プラグ接続部
３２ａ  第１の電圧側栓刃挿入口
３２ｂ  第２の電圧側栓刃挿入口
３２ｃ  接地栓刃挿入口
３５  接地線接続端子
Ｐ１  １００Ｖ用プラグ
Ｐ２  ２００Ｖ用プラグ
Ｐ１ｆ，Ｐ２ｆ  接地線
【図１】
2006278055.tif 000003
【図２】
2006278055.tif 000004
【図３】
2006278055.tif 000005
【図４】
2006278055.tif 000006
【図５】
2006278055.tif 000007
【図６】
2006278055.tif 000008
【図７】
2006278055.tif 000009
【図８】
2006278055.tif 000010
【図９】
2006278055.tif 000011
【図１０】
2006278055.tif 000012
【図１１】
2006278055.tif 000013